(57)【要約】      （修正有）【課題】まくらの内部に良い香りのする木材チップや炭を納めることにより、良い香りのするまくらや炭による空気清浄作用が期待できるまくらとすることができ、まくらの使用者に心地よい睡眠を提供する。【解決手段】まくら本体１０と、額を支持するうつ伏せ用まくら３０と、前記まくら本体と前記うつ伏せ用まくらが固定される器具本体２０とを有した健康まくらであって、器具本体は、まくら本体が載置される板状のまくら乗せ部２１と、載置されたまくら本体を保持するまくら保持部２２と、器具本体の傾斜角度を変更する角度変更部２４とを備えており、まくら保持部は、まくら乗せ部の表側の左右両端において、まくら乗せ部と略９０度の角度を保つようまくら乗せ部の内側へ向かって付勢して取り付けてあり、角度変更部はまくら保持部の外側に回転自在となるように取り付けてある。【選択図】図１
0003222146.tif 000002
【実用新案登録請求の範囲】
【請求項１】
まくら本体と、額を支持するうつ伏せ用まくらと、前記まくら本体と前記うつ伏せ用まくらが固定される器具本体と、を有した健康まくらであって、
器具本体は、まくら本体が載置される板状のまくら乗せ部と、載置されたまくら本体を保持するまくら保持部と、器具本体の傾斜角度を変更する角度変更部と、を備えており、
まくら保持部は、まくら乗せ部の表側の左右両端において、まくら乗せ部と略９０度の角度を保つようまくら乗せ部の内側へ向かって付勢して取り付けてあり、
角度変更部は、まくら保持部の外側に回転自在となるように取り付けてあることを特徴とする健康まくら。
【請求項２】
貫通孔を備えたまくらスポンジと、皿置き孔を備えたまくら台と、前記皿置き孔に嵌脱自在な皿と、前記まくらスポンジと前記まくら台とを覆うまくらカバーと、を有した前記まくら本体において、前記貫通孔と前記皿置き孔は連設されていることを特徴とする請求項１に記載の健康まくら。
【考案の詳細な説明】
【技術分野】
【０００１】
本考案は、良い香りのするまくらに関するものである。
【背景技術】
【０００２】
アロマやお香による香りは気持ちを落ち着かせることができ、その香りの種類によって得られる効果もさまざまである。また、就寝時にアロマやお香の良い香りを嗅ぐことで、より良い眠りを得ることもできる。
【０００３】
また、微細孔を多く持つ多孔質物質である活性炭は、その性質から物質の浄化や精製、脱臭、毒物中毒における毒の吸着などに幅広く用いられている。脱臭や物質の浄化作用に有効であることから、まくらのクッション材の素材に含まれることも多い。
【０００４】
そこで、睡眠時でも良い香りが嗅げるよう、まくらに香りを染み込ませたり、まくらのクッション材としてヒノキ等の香りが良い木材チップを用いたりするものが提供されている。しかし、これらの方法で香りづけすると一定の期間で匂いが薄れてしまって効果が長続きしない上、クッション材にチップが用いられている場合は取替が困難である。
【考案の概要】
【考案が解決しようとする課題】
【０００５】
本考案は上記事情に鑑み、取替自在な香りの素をクッション材の内部に備えることができるまくらを提供することを目的とする。
【課題を解決するための手段】
【０００６】
まくら本体と、額を支持するうつ伏せ用まくらと、前記まくら本体と前記うつ伏せ用まくらが固定される器具本体と、を有した健康まくらであって、器具本体は、まくら本体が載置される板状のまくら乗せ部と、載置されたまくら本体を保持するまくら保持部と、器具本体の傾斜角度を変更する角度変更部とを備えており、まくら保持部は、まくら乗せ部の表側の左右両端において、まくら乗せ部と略９０度の角度を保つようまくら乗せ部の内側へ向かって付勢して取り付けてあり、角度変更部は、まくら保持部の外側に回転自在となるように取り付けてあることを特徴とする。
【０００７】
貫通孔を備えたまくらスポンジと、皿置き孔を備えたまくら台と、前記皿置き孔に嵌脱自在な皿と、前記まくらスポンジと前記まくら台とを覆うまくらカバーと、を有した前記まくら本体において、前記貫通孔と前記皿置き孔は連設されていることを特徴とする。
【考案の効果】
【０００８】
請求項１に記載の考案によれば、まくら本体はまくら保持部で挟扼することで固定されているため、まくら保持部を外すだけでまくら本体を移動することができる。これにより、使用者に合わせたうつ伏せ用まくらとの距離の変更が簡便になり、使用者にフィットしたまくらを提供することができる。
また、左右のまくら保持部に取り付けられた角度変更部のどちらか一方を回動させることで、本考案の健康まくらを左右どちらかに傾動させることができ、横向きに寝ている使用者の下顎を押し付けるような構成となるため、睡眠時に口が開かないようにすることが可能となる。
【０００９】
請求項２に記載の考案によれば、まくら本体の内部に納めてある皿に良い香りがする木材チップや炭を載置することができ、その香りが皿置き孔と連設された貫通孔を通じでまくら本体の外側に到達し、使用者は睡眠中であっても良い香りを嗅ぐことが可能となる。
【図面の簡単な説明】
【００１０】
【図１】本考案の健康まくらの斜視図である。
【図２】横向きに寝る際における本考案の健康まくらにおける使用方法を図示した概略図である。
【図３】（ａ）はまくら本体を構成する各部材の斜視図であり、（ｂ）はまくら本体の断面を示した概略図である。
【考案を実施するための形態】
【００１１】
本考案の健康まくらは、図１に示されるように、まくら本体１０と、前記まくら本体１０を載置する器具本体２０及び器具本体２０の後側に取付けられるうつ伏せ用まくら３０とを有する。なお、ここで言う前後とは、図１にて示した方向を言う。
【００１２】
図１及び図３に示すように、まくら本体１０は略直方体状のまくらであって、使用者の頭部を乗せるまくらスポンジ１４と、まくらスポンジ１４を載置したまくら台１８と、これらを覆うまくらカバー１３で構成されており、まくら本体１０の中央には略円形状に窪んだ凹部１１と、凹部１１の前側に設けられた開口部１２とを備えている。
【００１３】
まくら本体１０に設けられた凹部１１は、図３（ｂ）に示すように、まくらスポンジ１４の中央に設けた略円錐状の貫通孔１５を上からまくらカバー１３で覆うことで、まくらスポンジ１４の貫通孔１５内にまくらカバー１３が落ち込んで形成されている。
まくらスポンジ１４を下方から支持するまくら台１８は、まくらスポンジ１４の底面と同等の大きさ及び形状を有した板状の部材であり、中心部には前記貫通孔１５と連通するような略円形の皿置き孔１９が設けられている。本考案の健康まくらは、該皿置き孔１９に嵌め込むことができる大きさの皿１６に、ヒノキ等の良い香りのする木材チップ１７を載置することで、木材チップ１７から発せられる香りが貫通孔１５を通してまくらカバー１３越しに香るため、就寝中であっても良い香りを嗅ぐことができる。なお、皿１６はまくら台１８から容易に外すことができる上、まくらカバー１３も外せるため、新しい木材チップ１７への交換は容易に行うことができる。また、まくら本体１０の内部が木材チップ１７の欠片等で汚れないように、洗濯ネットのようなメッシュ状の袋で包めば、良い香りを通して且つ、汚れがまくら本体１０内部につかない構成とすることができる。
【００１４】
まくら本体１０に設けられた開口部１２は、まくらスポンジ１４の上部を一部切断した切片Ｐをまくらの本体１０の外側に曲折すると、図３（ａ）に示すような貫通孔１５と連通した溝となり、その溝がまくらカバー１３に覆われることで形成される。該切片Ｐは、まくらスポンジ１４を上面から下面に向かって略垂直に、まくらスポンジ１４の厚さに対しておおよそ半分の深さの切り込みを入れて、切り込みを入れた部分を外側に折りたたむことで形成されている。この時切片Ｐは、外側に折りたたまれた状態が維持できるように切片Ｐとまくらスポンジ１４の間にマジックテープ（登録商標）等を装着することで固定しても良い。
うつ伏せ用まくら３０は、図１に示すような略直方体状の額用まくらであり、うつ伏せ用カバー３１とその内部に収納されている図示しない緩衝材で構成されている。うつ伏せ用カバー３１の両端は長く帯状になった固定ベルト３２、３２を有しており、その末端にはそれぞれ固着具３３、３３が備えられている。
【００１５】
器具本体２０は、図１に示すように矩形板状のまくら乗せ部２１と、前記まくら乗せ部２１の左右両側に取付けられたまくら保持部２２、２２と、まくら保持部２２の側面に取付けられた角度変更部２４、２４とを有し、まくら乗せ部２１の上面にまくら本体１０を着脱自在に載置できるようになっている。
まくら乗せ部２１の後側には前述したうつ伏せ用まくら３０が取付けられており、固定ベルト３２、３２をまくら乗せ部２１に巻着させることで、まくら乗せ部２１の底面側で固定ベルト３２、３２の末端に設けられた固着具３３、３３が接触し、固定ベルト３２、３２同士が接合される。この固定ベルト３２が巻着しているまくら乗せ部２１の後端には、切欠き部２５、２５が設けられている。該切欠き部２５は、固定ベルト３２を巻着すると完全に覆われるため、固定ベルト３２の繊維が切欠き部２５、２５の凹凸に引っ掛かり、うつ伏せ用まくら３０が簡単には動かないよう固定することができる。
まくら保持部２２は、外形が略半円板形の部材であり、二つのまくら保持部２２、２２がまくら乗せ部２１の対向する縁部に取付けてある。詳しくは、蝶番とバネで構成された付勢部材２３を用いて、まくら乗せ部２１に対して回動可能に取付けられており、まくら乗せ部２１に対して略直角となるようまくら乗せ部２１の内側へ向かって付勢されている。まくら本体１０は、付勢部材２３によるまくら乗せ部２１の内側へ向かって付勢する力によってまくら保持部２２、２２間で挟持されており一定の力で固定されているが、まくら本体１０と接する面にマジックテープ（登録商標）のＡ面（フック）等を装着すれば、まくら本体１０とまくら保持部２２の間の摩擦力が高まり、よりまくら本体１０がずれにくくなる。
角度変更部２４は、本考案の健康まくらの傾斜角度の調節に用いられるものであり、図１に示されるようにまくら保持部２２の側面に取付けられている。該角度変更部２４は横向きに寝る際に本考案の健康まくらを傾斜させるために使用するものであって、図２のように左右どちらか一方の角度変更部２４を回動させることにより健康まくらの片側が持ち上がるように構成されている。横向きに寝る使用者は、左右どちらかに傾斜している健康まくらに頭部を乗せると、下顎が健康まくらごと傾斜したまくら本体１０に押圧され口が開きにくくなり、睡眠時の口呼吸も抑えることが期待できる（図２参照）。なお、角度変更部２４を回動させずに傾斜をつけない状態で本考案の健康まくらを使用しても良い。
【００１６】
次に、本考案の健康まくらの具体的な使用方法について説明する。
まず、横を向いて寝る際に使用する場合は、図２のように頭部をまくら本体１０に置き、耳介が凹部１１にすっぽりと納まるように頭部の位置を調節する。なお、横向きで寝る場合において、うつ伏せ用まくら３０は使用しない。
この時、まくら本体１０には使用者の側頭部が接し、凹部１１に耳介が納められているが、頭部がまくら本体１０からずり落ちてしまうと、耳介が凹部１１から外れてしまい、まくら本体１０と頭部の間で押しつぶされてしまう虞がある。その場合、押しつぶされた耳介が睡眠中に痛み出し安眠を妨害してしまうが、開口部１２が開いていることにより、頭部と共にずり落ちてきた耳介がまくら本体１０に挟まれず、心地よい睡眠を持続することができる。
この時、まくら本体１０内部に納めた木材チップ１７から発せられた香りをまくらカバー１３越しに嗅ぐことができるため、良い香りで心を落ち着かせ質の良い睡眠を使用者にもたらすことが期待できる。
【００１７】
また、うつ伏せで寝る際に使用する場合は使用者の眉、眼、鼻、口及び顎がうつ伏せ用まくら３０とまくら本体１０の間に納まるように、まくら本体１０の位置を調節する。位置が調節されるとうつ伏せ用まくら３０及びまくら本体１０にはそれぞれ使用者の額と胸部が乗るため、使用者の鼻や口はうつ伏せ用まくら３０とまくら本体１０の間に納まるような構成となり、うつ伏せで寝る際においても呼吸が苦しくならないようにすることができる。
この時、木材チップ１７を封入した通気性の良い器をうつ伏せ用まくら３０とまくら本体１０の間に載置すれば、横向きに比べてまくら本体１０が使用者の鼻から遠い位置にあったとしても同様の効果を得ることができる。
【００１８】
本考案において、良い香りを発する物品としてヒノキなどの木材チップを使用しているが、木材チップだけでなくおがくずや、消臭効果を有している炭であっても良い。多孔質な炭は前述した消臭作用のほか、有害な物質の吸着などにも効果を発揮するため、空気清浄作用の効果を有したまくらとすることも可能である。
【符号の説明】
【００１９】
１０  まくら本体
１３  まくらカバー
１４  まくらスポンジ
１５  貫通孔
１６  皿
１８  まくら台
１９  皿置き孔
２０  器具本体
２１  まくら乗せ部
２２  まくら保持部
２４  角度変更部
３０  うつ伏せ用まくら
【図１】
0003222146.tif 000003
【図２】
0003222146.tif 000004
【図３】
0003222146.tif 000005